(57)【要約】【課題】本発明は、口腔内挿入装置に関するもので、口腔内挿入時に前記口腔内挿入部に装着する透明のカバーの装着が困難なこと。  すなわち、衛生面の向上のために、口腔内挿入時に口腔内挿入部に装着する透明のカバーは、比較的密着性の高いものとなっていたが、この透明カバーを口腔内挿入部の前方より装着する際には、透明カバーに覆われた口腔内挿入部の先端部付近に空気が溜まり、最終的に口腔内挿入部の先端部分を装着する際には、透明カバーに覆われた口腔内挿入部の先端部付近の空気が圧縮されるために、空気圧が上がり、この空気圧が妨げとなって、透明カバーの装着が困難になってしまう。【解決手段】そしてこの目的を達成するために本発明は、本体ケース１と、この本体ケースの前方側に装着した口腔内挿入部３と、を備え、口腔内挿入部３の表面には、この前方から後方に向かって溝１２を設けた構成とした。【選択図】図２
2011103956.tif 000002
【特許請求の範囲】
【請求項１】
本体ケースと、この本体ケースの前方側に装着した口腔内挿入部と、を備え、
前記口腔内挿入部の表面には、この前方から後方に向かって溝を設けた構成とした口腔内挿入装置。
【請求項２】
前記口腔内挿入部の表面に設けた溝は、前方から後方にかけて溝幅が徐々に広くなるように設けた請求項１に記載の口腔内挿入装置。
【請求項３】
前記口腔内挿入部の表面に設けた溝は、断面形状がほぼＶ字に設けられた請求項１または２に記載の口腔内挿入装置。
【請求項４】
前記口腔内挿入部の表面に設けた溝は、溝の角部を湾曲させた請求項１から３のいずれかに一つに記載の口腔内挿入装置。
【請求項５】
前記口腔内挿入部の表面に設けた溝の前方端に繋がる口腔内挿入部の先端部は、後方から前方にかけて低くなるように傾斜した請求項１から４のいずれかに一つに記載の口腔内挿入装置。
【請求項６】
前記口腔内挿入部の表面に設けた溝の前方端と後方端は、これらの端になるにしたがって、溝深さが徐々に浅くなるように設けられた請求項１から５のいずれかに一つに記載の口腔内挿入装置。
【請求項７】
前記口腔内挿入部の表面に設けた溝は、口腔内挿入部の上表面に設けた請求項１から６のいずれかに一つに記載の口腔内挿入装置。
【発明の詳細な説明】
【技術分野】
【０００１】
本発明は、例えば口腔内カメラなどの口腔内に挿入する装置に関するものである。
【背景技術】
【０００２】
従来の口腔内挿入装置の構成は、以下のような構成となっていた。
【０００３】
すなわち、本体ケースと、この本体ケースの前方側に装着した口腔内挿入部と、を備え、
衛生面を向上するために、口腔内挿入時には、前記口腔内挿入部を密着性の高い透明のカバーで覆った構成となっていた。関連した先行特許例としては、例えば内視鏡に衛生面向上のためにゴムカバーを用いたものもあった（例えば下記特許文献１）。
【先行技術文献】
【特許文献】
【０００４】
【特許文献１】特開平８−２９７０２号公報
【発明の概要】
【発明が解決しようとする課題】
【０００５】
上記従来例における課題は、口腔内挿入時に前記口腔内挿入部に装着する透明のカバーの装着が困難なことであった。
【０００６】
すなわち、衛生面の向上のために、口腔内挿入時に口腔内挿入部に装着する透明のカバーは、比較的密着性の高いものとなっていたが、この透明カバーを口腔内挿入部の前方より装着する際には、透明カバーに覆われた口腔内挿入部の先端部付近に空気が溜まり、最終的に口腔内挿入部の先端部分を装着する際には、透明カバーに覆われた口腔内挿入部の先端部付近の空気が圧縮されるために、空気圧が上がり、この空気圧が妨げとなって、透明カバーの装着が困難になってしまうのであった。
【０００７】
そこで本発明は、口腔内挿入時に口腔内挿入部に装着する透明のカバーを容易に装着できるようにすることを目的とするものである。
【課題を解決するための手段】
【０００８】
そして、この目的を達成するために本発明は、本体ケースと、この本体ケースの前方側に装着した口腔内挿入部と、を備え、前記口腔内挿入部の表面には、この前方から後方に向かって溝を設けた構成とし、これにより所期の目的を達成するものである。
【発明の効果】
【０００９】
以上のように本発明は、本体ケースと、この本体ケースの前方側に装着した口腔内挿入部と、を備え、前記口腔内挿入部の表面には、この前方から後方に向かって溝を設けて構成したものであるので、口腔内挿入時に口腔内挿入部に装着する透明のカバーを容易に装着することができる。
【００１０】
すなわち、本発明においては、口腔内挿入部の表面の前方から後方に向かって溝を設けたので、口腔内挿入部の前方より透明カバーを装着した際に、透明カバーに覆われた口腔内挿入部の先端部付近に溜まった空気が、口腔内挿入部の表面に設けた溝を、前方から後方に抜けていくので、装着時の空気圧が緩和され、この結果として、口腔内挿入時に口腔内挿入部に装着する透明のカバーを容易に装着することができるのである。
【図面の簡単な説明】
【００１１】
【図１】本発明の一実施形態の斜視図
【図２】その透明カバーを被せた斜視図
【図３】その透明カバーを被せた斜視図
【図４】その主要部の拡大斜視図
【図５】そのＡ−Ａ’断面図
【図６】そのＢ−Ｂ’断面図
【発明を実施するための形態】
【００１２】
以下、本発明の一実施形態を、この口腔内挿入装置の一例として、口腔内カメラに適用したものを、添付図面を用いて説明する。
【００１３】
図１において、１は、ほぼ円筒状の本体ケースで、この本体ケース１の後端側には電源および信号入出用のコード２が接続されており、このコード２の他端は、図示していないが、表示装置を含む本体側と接続されている。
【００１４】
また、この本体ケース１の前方側には、口腔内挿入部３が装着されており、本体１の右側面には、前記表示装置に対して、記録した映像信号の再生、停止、早送り、巻き戻しを操作するための操作パネル４が設けられ、さらに、本体１の上面には、映像信号の記録を行うための記録操作ボタン５が設けられている。
【００１５】
上述した口腔内挿入部３では、この先端下方側には、被写体となる口腔内部を撮像するための撮像窓６が設けられており、この撮像窓６より撮像された映像は、口腔内挿入部３内に配置されたレンズ群を経由して適切な映像光に変換され、この映像光は本体ケース１内に設けられた撮像部によって電気的な映像信号に変換され、コード２を通って本体側の表示装置に送られる。
【００１６】
このように口腔内挿入部３では、先端下方に設けられた撮像窓６を、被写体となる口腔内の、例えば奥歯付近まで近づける必要があり、そのため、口腔内挿入部３自体を口腔内に挿入しなければならない。口腔内においては、唾液などによって口腔内挿入部３が汚れてしまうことが考えられるので、このような汚れから保護するための手段が必要になってくる。この手段としては、口腔内挿入部３を透明のカバーで覆うという手段が考えられる。
【００１７】
図２に、口腔内挿入部３を透明のカバー７で覆った口腔内カメラの図を示す。
【００１８】
図２に示すように、透明のカバー７は、口腔内カメラの口腔内挿入部３と、本体ケース１の前方部分を覆うような、後方が開口した筒形状になっており、柔軟で伸縮自在な部材で作られている。この透明カバー７には、図２に対して右側に開口部８を有しており、口腔内カメラにこの透明カバー７を被せる際には、まず、この開口部を口腔内挿入部３の先端部９に被せて、この開口部８を本体ケース１の後方に向けて引っ張って、最後は、図３のごとく、口腔内挿入部３の先端部９に、透明カバー７の先端部１０が密着することで、透明カバー７の装着が完了する。
【００１９】
再び図２に戻るが、この透明カバー７の装着時に課題となるのが、透明カバー７の装着の過程で、透明カバー７に覆われた口腔内挿入部３の先端部９付近の空洞部１１に空気が溜まり、最終的に口腔内挿入部３の先端部分を装着する際には、溜まった空気の空気圧が上がり、この空気圧が妨げとなって、透明カバーの装着が困難になってしまうのであった。
【００２０】
この課題を解決するために、口腔内挿入部３の表面、具体的には、この口腔内挿入部３の上表面には、この前方から後方に向かって溝を設けた構成とし、透明カバー７の装着時において、口腔内挿入部３の前方より透明カバー７を装着した際に、透明カバー７に覆われた口腔内挿入部３の空洞部１１に溜まった空気が、口腔内挿入部３の表面に設けた溝１２を、前方から後方に抜けていくので、装着時の空気圧が緩和され、この結果として、口腔内挿入時に口腔内挿入部３に装着する透明のカバー７を容易に装着することができるのである。
【００２１】
より具体的には、図示していないが、透明カバー７の開口部８の下面には、口腔内挿入部３に装着する際に指でつまんで引っ張りやすいように、つまみ部分があり、この開口部８の下面のつまみ部分を引っ張って口腔内挿入部３に被せていくために、透明カバー７の下面は、口腔内挿入部３の下面に密着しながら被せていくことになるので、透明カバー７の上面は、下面に比較して、密着していない状態となっている。そのために、口腔内挿入部３の上表面に溝１２を設けることが、口腔内挿入部３の空洞部１１に溜まった空気を抜きやすくなるのである。
【００２２】
さらには、この溝１２の断面形状（図４のＡ−Ａ’断面）は、図４のごとく、ほぼＶ字形状であり、さらには、Ｖ字の底部と上部の角部分１３に丸み（湾曲面）を付けた形状になっており、さらには、溝１２の前方端１４と後方端１５の断面形状（図４のＢ−Ｂ’断面）は、図５のごとく、端になるにしたがって、溝深さが徐々に浅くなっている。
【００２３】
このような形状にすることにより、溝１２の壁面が四方においてなだらかになるので、溝１２に溜まった汚れを掃除しやすくなり、また、空気の流入がスムーズになるという効果がある。
【００２４】
また、前方端に繋がる口腔内挿入部３の先端部９の上面１６は、後方から前方にかけて低くなるように傾斜させている。
【００２５】
このように口腔内挿入部３の先端部９の上面１６を傾斜させることにより、溝１２の前方端に対して口腔内挿入部３の先端部９に溜まった空気が流入しやすくなるという効果がある。
【００２６】
さらには、溝１２の幅は、前方から後方にかけて徐々に広くなるような形状となっている。このような形状にすることにより、溝１２に溜まった汚れを前方から後方に履きだしやすく、掃除しやすくなり、また、空気の前方から後方への流れがスムーズになるために、空洞部１１に溜まった空気が抜けやすくなるので、より透明のカバー７を容易に装着することができるという効果がある。
【産業上の利用可能性】
【００２７】
以上のように本発明は、本体ケースと、この本体ケースの前方側に装着した口腔内挿入部と、を備え、前記口腔内挿入部の表面には、この前方から後方に沿って溝を設けて構成したものであるので、口腔内挿入時に口腔内挿入部に装着する透明のカバーを容易に装着することができる。
【００２８】
すなわち、本発明においては、口腔内挿入部の表面の前方から後方に沿って溝を設けたので、口腔内挿入部の前方より透明カバーを装着した際に、透明カバーに覆われた口腔内挿入部の先端部付近に溜まった空気が、口腔内挿入部の表面に設けた溝を、前方から後方に抜けていくので、装着時の空気圧が緩和され、この結果として、口腔内挿入時に口腔内挿入部に装着する透明のカバーを容易に装着することができるのである。
【００２９】
したがって、例えば、口腔内カメラなどの口腔内に挿入する装置全般に広く活用が期待されるものである。
【符号の説明】
【００３０】
１  本体ケース
２  コード
３  口腔内挿入部
４  操作パネル
５  記録操作ボタン
６  撮像窓
７  透明のカバー
８  開口部
９  先端部
１０  カバー先端部
１１  空洞部
１２  溝
１３  Ｖ字の角部分
１４  溝の前方端
１５  溝の後方端
１６  先端部の上面
【図１】
2011103956.tif 000003
【図２】
2011103956.tif 000004
【図３】
2011103956.tif 000005
【図４】
2011103956.tif 000006
【図５】
2011103956.tif 000007
【図６】
2011103956.tif 000008